(57)【特許請求の範囲】
【請求項１】
上下に設けられた複数の載置台にジグザグ状に折り畳んで連続用紙を単位毎に分けて載置し、上段側の載置台に載置された連続用紙先端を引き出して、連続用紙を適宜な用紙処理装置に連続的に供給する連続用紙供給台であって、
前記複数の載置台の上段の載置台に載置された連続用紙の後端と前記複数の載置台の下段の載置台に載置された連続用紙の先端とを接続する連続帳票継ぎ器と、
前記連続帳票継ぎ器を前記複数の載置台の上下方向に移動可能とすることにより当該連続帳票継ぎ器を上下の連続用紙の接続位置に移動・固定できるとともに、前記接続位置において連続用紙の幅方向に進退可能に移動できる連続帳票継ぎ器の移動・固定手段とを有することを特徴とする連続用紙供給台。
【発明の詳細な説明】
【０００１】
【発明の属する技術分野】
本発明は、連続用紙を連続単位毎に分けて複数上下に載置し、先頭の連続単位から連続用紙先端を引き出して、連続用紙を用紙処理装置に連続的に供給する連続用紙供給台に関する。
【０００２】
【従来の技術】
近年、連続用紙に対する処理速度の高速化が進み、例えばノンインパクトプリンタによるプリント作業は、１分間に１万ライン以上の高速プリントが可能となっており、処理時間の短縮化が一段と進んできている。しかしながら、処理時間の短縮化を生かすためには、連続用紙の長さが従来にも増して長いことが要求され、これが短い場合には、紙切れの度に処理を中断して、連続用紙を所定の供給位置に頻繁にセットしなければならないので、作業効率を向上することはできない。
【０００３】
具体的には、デプスが１１インチの連続用紙を２０ｃｍの高さ（長さ）に重ねた場合の印刷処理速度は、１２、３分間位であるが、これを再セットするために必要な時間は２、３分間かかり、印刷作業時間全体に占める再セット時間は２０％程度にもなる。
【０００４】
連続用紙の１連続単位を長くすることは可能であるが、長さに比例して取扱が困難となり、特に、従来は縦方向に積み重ねた状態から引き出して用紙処理装置に供給していたので、この積み重ね状態が崩れないように維持することは困難であった。
【０００５】
【発明が解決しようとする課題】
この問題を解決するために従来は、収納箱に収容することが提案されている。しかしながら、従来においては、縦方向に大旦に積み重ねた連続用紙を収納するので、実開平４−１１５１３８号公報に開示されたような、大型で組立が必要な収納箱を使用せざるを得ず、また、隣接する連続用紙単位の後端と先端とを接続する作業も、接続端同士が上下方向に離れてしまうので繁雑であるという不都合があった。
【０００６】
本発明は、これらの不都合を解消することを目的とし、複数の連続用紙を上下に載置するとともに、載置した複数の先に供給される連続用紙の後端と次ぎに供給される連続用紙の先端との接続作業を容易にでき、用紙処理装置への用紙供給を安定して行える連続用紙供給台を提供するものである。
【０００７】
【課題を解決するための手段】
この目的を達成するために、本発明の連続用紙供給台は、
上下に設けられた複数の載置台にジグザグ状に折り畳んで連続用紙を単位毎に分けて載置し、上段側の載置台に載置された連続用紙先端を引き出して、連続用紙を適宜な用紙処理装置に連続的に供給する連続用紙供給台であって、
前記複数の載置台の上段の載置台に載置された連続用紙の後端と前記複数の載置台の下段の載置台に載置された連続用紙の先端とを接続する連続帳票継ぎ器と、
前記連続帳票継ぎ器を前記複数の載置台の上下方向に移動可能とすることにより当該連続帳票継ぎ器を上下の連続用紙の接続位置に移動・固定できるとともに、前記接続位置において連続用紙の幅方向に進退可能に移動できる連続帳票継ぎ器の移動・固定手段とを有するものである。
【０００８】
【発明の実施形態】
以下、本発明の好適な実施形態を添付図面に基づいて説明する。ここにおいて、図１は連続用紙供給台の概略的な斜視説明図、図２は図１の連続用紙供給台の一部に連続用紙を載置した斜視説明図、図３は連続用紙給紙台を固定ゲートにセットし、用紙供給をできる状態にする斜視説明図、図４は連続帳票継ぎ器の平面拡大説明図、図５は図４の連続帳票継ぎ器の正面拡大説明図、図６は図４、５の連続帳票継ぎ器を把持し、上下動させるスライド部を示す連続用紙供給台１の側面説明図である。
【０００９】
図１及び図２に示すように、連続用紙供給台１は、連続用紙Ｐを複数積み重ねて載置し、最上段の連続単位から連続用紙Ｐの先端を引き出して、連続用紙Ｐを適宜な用紙処理装置に連続的に供給するに際して、ジグザグ状に折り畳んだ連続用紙を連続単位毎に積み重ねて載置する載置台Ｓ１、Ｓ２、Ｓ３と、これら載置台Ｓ２、Ｓ３からの連続用紙の供給をガイドするガイドローラ７と、筐体支柱３上部に設けられ、その後段に連続用紙全体の供給をガイドするガイドローラ８とが設けられている。また、載置台Ｓ１、Ｓ２、Ｓ３は、図２に示すように連続用紙Ｐを載置する際、載置を容易にするために手前に引き出せるようになっている。さらに連続用紙供給台１の下部に供給台の移送用ローラとしてのキャスター４が設けられてなり、キャスター４は、４脚（２本のみ図示）を有してなり、連続用紙供給台１の移動用取手２が筐体支柱３側部に設けられている。
【００１０】
図３に示すように連続用紙供給台１は、適宜な用紙処理装置に用紙を供給する際に位置を固定する固定ゲート４０が準備され、この固定ゲート４０は、２本の支柱４１と、この支柱４１の上部に供給をガイドするガイドローラ４２を有し、用紙用紙処理装置側に固定されている。
【００１１】
連続用紙供給台１の側部には、側壁６が設けられ、後述する帳票継ぎ器５の把持腕３４を移動固定できるようになっており、複数の載置台Ｓ１、Ｓ２、Ｓ３で連続用紙Ｐが上下で積み重ねられる上段の連続用紙Ｐの後端Ｐｅと下段の連続用紙Ｐの先端Ｐｔとを接続する連続帳票継ぎ器５が上下の連続用紙Ｐの接続位置に移動できるよう摺動自在に取り付けられている。
【００１２】
連続帳票継ぎ器５を具体的に図４乃至図６に基づいて説明すると、連続用紙Ｐの後端Ｐｅと次段の連続用紙Ｐの先端Ｐｔを接続するスプライサー２０部分は、本願出願人が既に出願している公知部分であり、連続用紙Ｐの移送孔を係合させる係合ピン１２と、連続用紙Ｐの移送孔をこの係合ピン１２に係合させた状態で連続用紙Ｐを固定する蝶番２２で開閉可能な用紙押さえ板１１と、突き合わせて固定された連続用紙Ｐの後端Ｐｅと先端Ｐｔとを、ターンローラを介して下部に収納された接続テープ２１を引き出せるようになっている。
【００１３】
このスプライサー２０部分は、ハウジング１５内にコロ１６、１９で保持され用紙の幅方向に前後移動できるようになって部分収納されている。用紙の幅方向に後退移動するのは取手１７で引くことにより動かせばよい。また、ハウジング１５は、把持腕３４を介して側壁６に移動固定できるようになっている。
【００１４】
図６に示すように把持腕３４は、側壁６面に上下方向に伸びる２本のレール３２に沿って上下に摺動自在となるように適宜なアダプターを介して取り付けられている。さらにこの把持腕３４は、連続用紙Ｐの接続が容易な位置に帳票継ぎ器５を上下に移動し、固定できるように取手３３が設けられている。この取手３３は、手前に引いて上下に移動させることができるとともに、取手３３の先端が、側壁６面に設けられた取手固定孔３１に押し込まれることにより把持腕３４は、取手固定孔３１の所望位置で固定できるようになっている。
【００１５】
続いて、本実施形態における連続用紙供給台１の操作について説明する。まず、図１乃至図３に示すように、１連続単位の連続用紙Ｐの先端Ｐｔと後端Ｐｅをだして、順次積層し、連続用紙Ｐの接続が容易な位置に帳票継ぎ器５を上下に移動し、固定して、接続作業を行う。接続が終了した後、取手１７を引いてスプライサー２０部分を次の接続位置に移動させ順次の接続作業を行い、全ての接続作業が終わった後、最上段の連続用紙Ｐから用紙供給を開始する。
【００１６】
尚、図示してないが複数の連続用紙供給台１を後段に配置し、連続用紙Ｐを無制限に適宜な用紙処理装置に供給することが可能となる。その際、後段の連続用紙供給台１の固定ゲート４０との間の給紙を終えた連続用紙供給台１を給紙中に抜き取り後段の連続用紙供給台１を固定ゲート４０に固定させるようにすればよい。
【００１７】
【発明の効果】
このようにして、本発明に連続用紙供給台によれば、連続用紙の接続供給操作が極めて簡単で、複数の連続用紙供給台を後段に配置することにより無制限で連続用紙を補充でき、連続用紙を供給している処理装置の動作を中断することなく、連続的に連続用紙を供給できるという効果を奏する。
【図面の簡単な説明】
【図１】１単位の連続用紙を載置した連続用紙供給台の概略的な斜視説明図。
【図２】図１の連続用紙供給台にさらにもう１単位の連続用紙を載置し、連続帳票継ぎ器が上下に移動できる状態を示した斜視説明図。
【図３】複数の連続用紙が接続され、用紙処理装置への用紙供給をできる状態にした斜視説明図。
【図４】連続帳票継ぎ器５の平面拡大説明図。
【図５】図４の連続帳票継ぎ器５の正面拡大説明図。
【図６】図４、５の連続帳票継ぎ器５を把持し、上下動させる移動・固定手段を示す連続用紙供給台の側面説明図。
【符号の説明】
１      連続用紙供給台
Ｓ１，Ｓ２，Ｓ３      戟置台
３      筐体支柱
４      キャスター
５      連続帳票継ぎ器
６      側壁
７      載置面
【図１】
0003759663.tif 000002
【図２】
0003759663.tif 000003
【図３】
0003759663.tif 000004
【図４】
0003759663.tif 000005
【図５】
0003759663.tif 000006
【図６】
0003759663.tif 000007